(57)【特許請求の範囲】
【請求項１】
複数の移動端末に対して情報をマルチキャスト送信する情報配信システムであって、
複数の移動端末と、
前記移動端末の間における情報の送受信を中継する複数の基地局と、
情報配信装置と、を備え、
前記情報配信装置は、
複数の基地局によって中継される複数の移動端末に対して情報のマルチキャスト送信を実現するために、マルチキャストアドレスを割り当てるマルチキャストアドレス割当装置であって、前記移動端末の位置情報、及び前記移動端末のユーザによって予め設定されたユーザの情報と対応付けられた登録情報を移動端末情報として格納する移動端末情報格納手段と、情報供給端末から送信される、情報を配信すべき移動端末のユーザの情報を示す指定情報を受信し、受信された指定情報の条件に当てはまるユーザの情報に対応する移動端末を移動端末情報格納手段に格納された移動端末情報に基づいて抽出する配信対象端末抽出手段と、前記配信対象端末抽出手段によって抽出された配信対象端末に対して呼出処理を行うに際して、マルチキャストアドレスを割り当てるマルチキャストアドレス割当手段とを有するマルチキャストアドレス割当装置と、
前記配信対象端末抽出手段によって抽出された配信対象端末が在圏するエリアに対して、前記マルチキャストアドレス割当装置によって割り当てられたマルチキャストアドレスを付加した呼出信号を送信し、前記呼出信号に応答して前記移動端末から前記基地局を介して送信される、マルチキャストグループに参加することを表す参加確認信号を受信する呼出信号処理手段と、
前記呼出信号処理手段によって参加確認信号を受信した場合に、前記参加確認信号を送信した移動端末に対して、前記参加確認信号を中継した基地局のみに情報を送信することで当該基地局を介して情報を配信する情報配信手段と、を有し、
前記移動端末は、
マルチキャストアドレスを付加した呼出信号を受信する呼出信号受信手段と、
前記呼出信号受信手段によって受信した呼出信号に応答して、マルチキャストグループに参加することを表す参加確認信号を送信する参加確認信号送信手段と、
を有することを特徴とする情報配信システム。
【発明の詳細な説明】
【技術分野】
【０００１】
本発明は、複数の基地局によって中継される複数の移動端末に対する情報のマルチキャスト送信を実現するためにマルチキャストアドレスを割り当てるマルチキャストアドレス割当装置、マルチキャストアドレス割当方法、及びマルチキャストアドレス割当プログラムと、このマルチキャストアドレス割当方法を用いてマルチキャスト送信を行う、情報配信装置、情報配信システム、情報配信方法、及び情報配信プログラムと、マルチキャストアドレス割当プログラム又は情報配信プログラムを記録したコンピュータ読み取り可能な記録媒体に関する。
【背景技術】
【０００２】
従来から、複数の基地局とその通信範囲内に存在する複数の移動端末とによって構成される移動通信システムにおいて、例えば、広告、ニュース、交通情報などの情報を移動端末に配信するプッシュ型情報配信サービスがあった。そして、このようなプッシュ型情報配信サービスにおいて、マルチキャスト技術を用いることが提案されている。
【発明の開示】
【発明が解決しようとする課題】
【０００３】
しかしながら、現在提案されているマルチキャスト技術では、次に示すような問題があった。一般に、移動通信網では、非通信中の移動端末の位置を位置登録エリア単位で管理しているが、それぞれの移動端末がどの基地局の通信範囲内に含まれているかまでは管理していない。このため、マルチキャスト送信を行う際には、位置登録エリア内のすべての基地局に対して情報配信を行うことが必要となるが、このような方法で情報配信を行うと、配信対象となっている移動端末が存在しない基地局に対しても情報配信をすることになり、無駄なトラフィックが生じてしまうという問題があった。
【０００４】
そこで、本発明は上記課題を解決し、効率的な情報配信を行うことができる情報配信装置、情報配信システム、情報配信方法、情報配信プログラムと、これらを実現するための、マルチキャストアドレス割当装置、マルチキャストアドレス割当方法、マルチキャストアドレス割当プログラムと、情報配信プログラム又はマルチキャストアドレス割り当てプログラムを記録したコンピュータ読み取り可能な記録媒体を提供することを目的とする。
【課題を解決するための手段】
【００１２】
本発明に係る情報配信システムは、複数の移動端末に対して情報をマルチキャスト送信する情報配信システムであって、複数の移動端末と、移動端末の間における情報の送受信を中継する複数の基地局と、情報配信装置と、を備え、情報配信装置は、複数の基地局によって中継される複数の移動端末に対して情報のマルチキャスト送信を実現するために、マルチキャストアドレスを割り当てるマルチキャストアドレス割当装置であって、移動端末の位置情報、及び移動端末のユーザによって予め設定されたユーザの情報と対応付けられた登録情報を移動端末情報として格納する移動端末情報格納手段と、情報供給端末から送信される、情報を配信すべき移動端末のユーザの情報を示す指定情報を受信し、受信された指定情報の条件に当てはまるユーザの情報に対応する移動端末を移動端末情報格納手段に格納された移動端末情報に基づいて抽出する配信対象端末抽出手段と、配信対象端末抽出手段によって抽出された配信対象端末に対して呼出処理を行うに際して、マルチキャストアドレスを割り当てるマルチキャストアドレス割当手段とを有するマルチキャストアドレス割当装置と、配信対象端末抽出手段によって抽出された配信対象端末が在圏するエリアに対して、マルチキャストアドレス割当装置によって割り当てられたマルチキャストアドレスを付加した呼出信号を送信し、呼出信号に応答して移動端末から基地局を介して送信される、マルチキャストグループに参加することを表す参加確認信号を受信する呼出信号処理手段と、呼出信号処理手段によって参加確認信号を受信した場合に、参加確認信号を送信した移動端末に対して、参加確認信号を中継した基地局のみに情報を送信することで当該基地局を介して情報を配信する情報配信手段と、を備え、移動端末は、マルチキャストアドレスを付加した呼出信号を受信する呼出信号受信手段と、呼出信号受信手段によって受信した呼出信号に応答して、マルチキャストグループに参加することを表す参加確認信号を送信する参加確認信号送信手段と、を有することを特徴とする。
【００１３】
このように呼出信号処理手段が情報配信の対象の移動端末を呼び出す呼出信号にマルチキャストアドレスを付加して送信することによって、呼出信号と同時にマルチキャストアドレスを割り当てることができる。また、呼出信号処理手段は、配信対象端末が在圏するエリアに対して呼出信号を送信し、当該エリア以外には呼出信号を送信しないので、移動通信網のトラフィックを低減させることができる。さらに、呼出信号処理手段は、移動端末から基地局を介して送信されるマルチキャストグループへの参加確認信号を受信することにより、情報配信装置は参加確認信号を中継した基地局を特定することができ、当該基地局のみに情報をマルチキャスト送信することができる。従って、マルチキャストグループへの参加確認信号を送信した移動端末が存在しない基地局へは、情報が送信されることがなく、無駄なトラフィックを低減し、マルチキャスト送信の効率を高めることができる。なお、基地局と情報配信装置との間に、複数の基地局を束ねるノードを備える場合には、参加確認信号は、基地局及び当該ノードを介して情報配信装置に送信される。この場合には、ノードが参加確認信号を中継した基地局を特定するので、情報配信装置は参加確認信号を中継したノードを特定することとすれば、基地局まで特定しなくても、無駄なトラフィックを低減させることができる。
一方、このように構成された移動端末は、マルチキャストアドレスの情報が付加された呼出信号に応答してマルチキャストグループに参加することを表す参加確認信号を送信する参加確認信号送信手段を備えているので、マルチキャストグループに参加する移動端末は参加確認信号を送信することができる。この参加確認信号により、情報配信装置は情報配信の対象となる移動端末がどの基地局の通信範囲内に存在するか特定することができる。
【発明の効果】
【００３４】
本発明によれば、情報供給端末から送信される指定情報の条件にあてはまる移動端末を抽出することにより、効率良くマルチキャストグループを形成することができる。また、情報配信の対象となる移動端末を呼び出す呼出信号にマルチキャストアドレスを付加して送信して、呼出信号と同時にマルチキャストアドレスを割り当てることにより、マルチキャストアドレス割り当てに要するトラフィックを低減させることができる。
【００３５】
また本発明によれば、移動端末から基地局を介して送信される、マルチキャストグループへの参加確認信号を受信し、受信した参加確認信号に基づいて参加確認信号を送信した移動端末に対して情報を配信することとしている。この際に参加確認信号を中継した基地局を特定して当該基地局のみに情報をマルチキャスト送信することができるので、マルチキャストグループへの参加確認信号を送信した移動端末が存在しない基地局へは、情報が送信されることがなく、無駄なトラフィックを低減させ、マルチキャスト送信の効率を高めることができる。
【発明を実施するための最良の形態】
【００３６】
（実施例１）
以下、図面と共に本発明に係る情報配信システム１の好適な実施形態について詳細に説明する。なお、図面の説明においては同一要素には同一符号を付し、重複する説明を省略する。
【００３７】
図１は、本発明の実施形態に係る情報配信システム１を示すブロック図である。情報配信システム１は、複数の移動端末５０と、移動端末５０間の情報の送受信を中継する基地局（ＢＳ）４０と、移動端末５０にマルチキャスト送信される情報（以下、「配信情報」又は「配信データ」という）の供給元である情報供給端末３０と、情報供給端末３０から供給された情報を指定された移動端末５０に配信する情報配信装置１０と、を有している。
【００３８】
情報配信装置１０は、情報配信装置１０全体を制御する制御部１１と、情報供給端末３０及び基地局４０との通信を行うためのインターフェース部１４と、配信情報を一時的に記憶する記憶部１２と、移動端末５０を呼び出すための呼出信号を処理する呼出信号処理部１３と、配信情報を配信すべき対象となる移動端末５０にマルチキャストアドレスを割り当てるマルチキャストアドレス割当装置２０と、を有している。また、マルチキャストアドレス割当装置２０は、配信対象端末抽出部１６と、配信対象端末抽出部１６によって利用される変換テーブル２２と、移動端末情報データベース（以下、「移動端末情報ＤＢ」という）２１と、マルチキャスト割当部１５と、を有している。
【００３９】
次に、情報配信装置１０を構成する各要素について説明する。インターフェース部１４は、情報の送受信を行う機能を有する。例えば、インターフェース部１４は、移動端末５０に配信する情報を情報供給端末３０から受信したり、基地局４０を介して移動端末５０に情報を配信する。また、呼出信号を移動端末５０に送信したり、移動端末５０から送信される呼出信号の応答信号を受信する。
【００４０】
記憶部１２は、情報供給端末３０から送信され、供給された配信データを一時的にバッファリングしておく機能を有する。
【００４１】
呼出信号処理部１３は、移動端末５０に送信する呼出信号を生成する機能と、移動端末５０から送信された呼出信号の応答信号を処理する機能とを有する。呼出信号処理部１３によって生成される呼出信号にはマルチキャストアドレスが付加され、呼出信号の応答信号にはマルチキャストグループへの参加確認信号が含まれる。ここで、「マルチキャストグループへ参加」するということは、その応答を送信した移動端末５０がマルチキャストアドレスによって指定された情報をマルチキャスト送信によって受信することを意味する。
【００４２】
変換テーブル２２は、情報供給端末３０が情報配信をすべき移動端末５０を指定する指定情報と、情報配信装置１０内での処理用のデータと対応関係を定義づけるテーブルである。この変換テーブル２２は、本実施形態に係る情報配信システム１において情報供給端末３０が指定情報として用いる情報のフォーマットと、情報配信装置１０が指定情報として用いる情報のフォーマットとが異なる場合でも対応できるようにするためのものである。図３は、変換テーブル２２に格納されたデータの例を示す図である。図３に示されるように、変換テーブル２２は、「登録情報」「指定情報」の各情報を有している。変換テーブル２２によれば、例えば、指定情報の「男性」は登録情報「Ａ」に対応することがわかる。
【００４３】
移動端末情報ＤＢ２１は、移動端末５０の位置に関する情報と、予め登録された移動端末５０のユーザに関する登録情報とが格納されている。図２は、移動端末情報ＤＢ２１に格納されたデータの例を示す図である。図２に示されるように、移動端末情報ＤＢ２１は、「移動端末識別子」「在圏エリア」「登録情報」の各情報が格納されている。「移動端末識別子」は、それぞれの移動端末５０を識別するための識別子である。移動端末５０が携帯電話である場合には、移動端末識別子は、その電話番号であることが好ましい。「在圏エリア」は、各移動端末５０が現在どのエリアに在圏するかを表す位置情報である。「登録情報」は、それぞれの移動端末５０を所有するユーザによってあらかじめ登録された属性などに関する情報である。登録情報は、変換テーブル２２によって規定される表現形式で格納されている。例えば、移動端末Ａのユーザの登録情報は「Ａ」「Ｃ」であるが、これは、「男性」、「２０代」というユーザの情報を示す。
【００４４】
配信対象端末抽出部１６は、情報供給端末３０から送信された指定情報を、変換テーブル２２に格納されたデータを利用して情報配信装置１０内での処理に用いられる表現形式に変換し、それと移動端末情報ＤＢ２１に格納された情報とを比較することにより、配信対象端末を抽出する。
【００４５】
マルチキャストアドレス割当部１５は、配信対象端末抽出部１６が抽出した移動端末５０に対して、マルチキャストアドレスを割り当てる機能を有する。
【００４６】
次に、本実施形態に係る情報配信システム１の動作について説明すると共に、本発明の実施形態に係る情報配信方法について説明する。図４は、情報配信システム１の動作を示すフローチャートである。
【００４７】
まず、情報供給端末３０から情報配信装置１０に、配信すべき情報が送信される（Ｓ１０）。この際に、配信すべき情報とともに情報配信の対象となる移動端末５０を指定するための指定情報も送信される。ここでは、指定情報として、「２０代」「男性」が送信されたものとする。情報配信装置１０は、情報供給端末３０から送信された配信情報を受信する（Ｓ１２）と、受信した配信情報を記憶部１２にバッファリングする（Ｓ１４）。その後、配信対象端末抽出部１６は、変換テーブル２２を参照して、受信した指定情報を情報配信装置１０内での処理に用いられる表現形式に変換する。ここでは、指定情報は「２０代」「男性」なので、変換後の条件は「Ａ」「Ｃ」となる。以降、情報配信装置１０では、このフォーマットで「２０代」「男性」という指定情報を取り扱う。
【００４８】
続いて、配信対象端末抽出部１６は変換後の条件に基づいて、情報配信の対象となる移動端末５０を、移動端末情報ＤＢ２１から抽出する（Ｓ１６）。すなわち、変換後の条件に合致する移動端末５０を抽出する。ここでは、「Ａ」「Ｃ」が情報配信の対象端末の条件であるので、配信対象の移動端末５０として抽出される移動端末５０は、図２を参照すると、移動端末Ａ，Ｄ，Ｅである。そして、マルチキャストアドレス割当部１５は、抽出された移動端末Ａ，Ｄ，Ｅにマルチキャストアドレスを割り当てる（Ｓ１８）。
【００４９】
次に、情報配信装置１０は、呼出信号処理部１３によって、配信対象として抽出された移動端末５０の呼出信号を生成する。この際に、呼出信号処理部１３は、マルチキャストアドレスを含めた呼出信号を生成する。そして、続いて、情報配信装置１０は、インターフェース部１４を介して呼出信号を送信する（Ｓ２０）。この際に、呼出信号を送信する送信先の基地局４０は、情報配信の対象の移動端末５０が在圏するエリアに存在する基地局４０である。ここでは、図２を参照すると、移動端末Ａ，ＤはエリアＸに、移動端末ＥはエリアＹに存在するので、エリアＸ，Ｙ内の基地局４０に対して呼出信号を送信する。呼出信号を受信した基地局４０は、当該基地局４０の通信範囲内に存在するすべての移動端末５０に対して呼出信号を送信する。
【００５０】
移動端末５０は呼出信号を受信する（Ｓ２２）と、呼出信号に含まれる情報を解析して、自分が呼び出しの対象であるかどうかを判定する。移動端末５０は、自分が呼び出しの対象であると判定した場合には、呼出信号に含まれているマルチキャストアドレスを設定する。さらに、その移動端末５０は、呼出信号に対する応答して、マルチキャストグループに参加することを確認する参加確認信号を基地局４０に送信する（Ｓ２４）。
【００５１】
基地局４０は、対象端末から送信された参加確認信号を受信すると、参加確認信号を情報配信装置１０に送信する。情報配信装置１０は、基地局４０から送信された参加確認信号をインターフェース部１４によって受信し（Ｓ２６）、呼出信号処理部１３によって参加確認信号を処理する。情報配信装置１０は、基地局４０から送信される参加確認信号を解析することによって、情報配信の対象である移動端末５０がいずれの基地局４０の通信範囲内に存在するかについて、情報を取得することができる。
【００５２】
次に、情報配信装置１０は、記憶部１２にバッファリングされているマルチキャスト配信すべき情報を記憶部１２から取り出し、配信対象の移動端末５０に送信する（Ｓ２８）。この際に、参加確認信号を受信することによって取得された、各移動端末５０が存在する基地局４０の情報を利用して、当該移動端末５０が存在する基地局４０のみに対して、情報を配信する。そして、移動端末５０が配信された情報を受信する（Ｓ３０）ことによって情報配信システム１の動作は完了する。
【００５３】
本実施形態に係る情報配信システム１は、配信対象端末抽出部１６によって情報供給端末３０から送信される指定情報の条件にあてはまる移動端末５０を抽出することにより、効率良くマルチキャストグループを形成することができる。そして、呼出信号にマルチキャストアドレスの情報を付加して呼出信号を生成し、その呼出信号を送信することにより、当該呼出信号を受信した移動端末５０は、直ちにマルチキャストアドレスを設定することができるので、マルチキャストアドレス設定のためのシーケンスが不要となり、移動通信網のトラフィックを低減させることができる。
【００５４】
また、呼出信号を受信した移動端末５０は、呼出信号に対する応答であるマルチキャストグループへの参加確認信号を基地局４０を介して情報配信装置１０に送信することにより、情報配信装置１０は、情報配信対象の移動端末５０がどの基地局４０の通信範囲内に存在するかについての情報を取得することができる。そして、情報配信装置１０は、情報配信対象の移動端末５０が存在する基地局４０にのみ情報をマルチキャスト送信するので、情報配信対象の移動端末４０が存在しない基地局４０への無駄なデータ送信が行われることがなく、移動通信網のトラフィックを大幅に低減させることができる。本実施形態においては、情報配信装置１０が基地局４０と直接に接続されている場合について説明しているので、情報配信装置１０は情報を配信すべき基地局４０を参加確認信号によって特定し、当該基地局４０のみに情報を配信しているが、基地局４０と情報配信装置１０との間に、複数の基地局４０を束ねるノードが存在する構成においては、情報配信装置１０は、情報を配信すべきノードを参加確認信号に基づいて特定する。そして当該ノードが情報を配信すべき基地局４０を特定することによって、効率良く情報を配信することができる。なお、このことは、基地局４０と情報配信装置１０との間に、複数のノードがツリー状に存在する場合にも同様であり、情報配信装置１０又は上位のノードは、情報を配信すべき一つ下位のノード又は基地局４０を特定することによって、情報配信を効率良く行うことができる。
【００５５】
また、本発明に係る情報配信方法は、上記情報配信システム１と同様に、無駄な情報配信を防止し、移動通信網のトラフィックの低減を図ることができる。
【００５６】
（実施例２）
次に、本発明の第２実施形態に係る情報配信システム２について説明する。図５は、第２実施形態に係る情報配信システム２を示す構成図である。第２実施形態に係る情報配信システム２は、第１実施形態に係る情報配信システム１と基本的な構成は同じであるが、第２実施形態に係る情報配信システム２を構成する情報配信装置１０は移動端末情報ＤＢ２１を備えておらず、情報配信装置１０とは別に情報管理ノード２５が移動端末情報ＤＢ２１を備えている点が異なる。また、第２実施形態に係る情報配信装置１０は移動端末情報取得部２６を備えており、この移動端末情報取得部２６は、情報管理ノード２５に移動端末情報を要求し、移動端末情報を取得する機能を有する。
【００５７】
第２実施形態に係る情報配信システム２の動作は、第１実施形態に係る情報配信システム１の動作を基本的なフローは同じであるが、第１実施形態に係る情報配信装置１０は指定情報に基づいて移動端末情報ＤＢ２１から配信対象の移動端末５０を抽出するのに対し、第２実施形態に係る情報配信装置１０は移動端末情報取得部２６によって取得した移動端末情報に基づいて、配信対象の移動端末５０を抽出する点が異なる。
【００５８】
第２実施形態に係る情報配信システム２は、第１実施形態に係る情報配信システム１と同様に、移動通信網のトラフィックを低減させ、情報の効率的なマルチキャスト送信を実現することができる。さらに、第２実施形態に係る情報配信システム２では、情報配信装置１０は情報管理ノード２５の移動端末情報ＤＢ２１から移動端末情報を取得する移動端末情報取得部２６を備えているので、既存の情報管理ノード２５を有効に活用してシステムを構成することができる。
【００５９】
最後に、本発明の実施形態に係る情報配信プログラム、および、当該情報配信プログラムを記録したコンピュータ読み取り可能な記録媒体（以下、単に「記録媒体」という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
【００６０】
図６は、本発明の実施形態にかかる記録媒体６０の構成図である。記録媒体６０は、図６に示すように、プログラムを記録するプログラム領域６０ａと、データを記録するデータ領域６０ｂとを備えている。プログラム領域６０ａには、情報配信プログラムとマルチキャストアドレス割当プログラム（モジュール）６６が記録されている。情報配信プログラムは、移動通信システムにおいて情報をマルチキャスト配信するためのプログラムであって、図６に示すように、配信処理を統括する制御モジュール６１と、コンピュータに外部とのデータの送受信を行わせるデータ送受信モジュール６２と、配信データをコンピュータにバッファリングして記憶させる配信データ管理モジュール６３と、配信対象端末を抽出する配信対象端末抽出モジュール６４と、呼出信号を生成させたり呼出信号に応答して送信された参加確認信号を処理させる呼出信号処理モジュール６５と、情報を配信する移動端末５０に対してマルチキャストアドレスを割り当てるマルチキャストアドレス割当モジュール６６と、コンピュータに移動端末５０の位置情報やユーザの登録情報を記憶させたり、記憶された情報を読み出したりさせることを管理する移動端末情報管理モジュール６７と、を備えて構成される。ここで、制御モジュール６１、データ送受信モジュール６２、配信対象端末抽出モジュール６４、呼出信号処理モジュール６５、マルチキャストアドレス割当モジュール６６をコンピュータによって実行させて実現される機能は、上記情報配信システム１の制御部１１、インターフェース部１４、配信対象端末抽出部１６、呼出信号処理部１３、マルチキャストアドレス割当部１５のそれぞれの機能と同様である。また、配信データ管理モジュール６３、移動端末情報管理モジュール６７をコンピュータによって実行させることによって、コンピュータが有する記憶領域内に、上記情報配信システム１の記憶部１２、移動端末情報ＤＢ２１を構築させることができる。また、データ領域６０ｂに格納された変換テーブルデータ６８は、配信対象端末抽出モジュール６４が実行されてデータが変換処理される際に利用されるデータであり、上記情報配信システム１の変換テーブル２２に相当するものである。
【００６１】
図７は、記録媒体６０に記録された情報配信プログラムを実行するためのコンピュータ（例えばサーバシステム）のシステム構成図であり、図８は、記録媒体６０に記録された情報配信プログラムを実行するためのコンピュータ１００の斜視図である。コンピュータ１００は、図７及び図８に示すように、読み取り装置１０２と、オペレーティングシステム（ＯＳ）を常駐させた作業用メモリ（ＲＡＭ）１０４と、表示手段であるディスプレイ１０６と、入力手段であるマウス１０８及びキーボード１１０と、通信手段である通信ユニット１１２と、情報配信プログラムの実行等を制御するＣＰＵ１１４とを備えている。ここで、記録媒体６０が読み取り装置１０２に挿入されると、記録媒体６０に記録された情報が読み取り装置１０２からアクセス可能となり、記録媒体６０のプログラム領域６０ａに記録された情報配信プログラムが、コンピュータ１００によって実行可能となる。第１実施形態に係る記録媒体をコンピュータによって読み取らせて実行させることによって、第１実施形態に係る情報配信装置１０を実現することができ、情報の効率的なマルチキャスト送信を実現することができる。
【００６２】
上記読み取り装置１０２としては、記録媒体６０に対応して、フレキシブルディスクドライブ装置、ＣＤ−ＲＯＭドライブ装置、あるいは磁気テープドライブ装置などが用いられる。
【００６３】
次に、第２実施形態に係る情報配信プログラム、及び情報配信プログラムを記録した記録媒体について説明する。図９は、第２実施形態に係る情報配信プログラムを記録した記録媒体を示す構成図である。第２実施形態に係る記録媒体１６０は、移動端末情報管理モジュール６７に代えて、移動端末情報取得モジュール６９を備えている点が第１実施形態に係る記録媒体６０と異なる。移動端末情報取得モジュール６９をコンピュータによって実行させることによって実現される機能は、第２実施形態に係る情報配信システム２において説明した移動端末情報取得手段２６と同様である。第２実施形態に係る記録媒体をコンピュータによって読み取らせて実行させることによって、第２実施形態に係る情報配信装置１０を実現することができ、情報の効率的なマルチキャスト送信を実現することができる。
【００６４】
以上、本発明の実施形態について詳細に説明したが、本発明は上記実施形態に限定されるものではない。上記実施形態においては、情報を配信すべき移動端末をユーザの性別、年代によって指定しているが、例えば、職業や住所などのその他の属性によって配信の対象を指定することとしても良い。また、ユーザによって予め設定された登録情報以外にも、ユーザが在圏するエリアによって配信先の移動端末を指定することとしても良い。ここで、ユーザが在圏するエリアをさらに指定した指定情報を情報供給端末から送信した場合の情報配信装置の動作について説明する。基本的な動作フローは上記実施形態において説明した動作と同じであるので、図４を参照して説明する。まず、情報供給端末から情報配信装置に配信データを送信する。この際に、情報を配信すべき移動端末を指定する指定情報として、「２０代」「男性」に加え、「エリアＸ」に存在する移動端末という指定がなされたとする。情報配信装置は、配信データを受信すると、配信データをバッファリングし、配信データの変換処理を行う。この際、エリアＸについて、情報供給端末と情報配信装置との間でフォーマットが異なる場合には、変換テーブルにエリアについてのフォーマットの対応関係を格納しておき、他の指定情報を変換するのと同様の方法によって、配信データの変換を行う。配信データの変換処理が行われた結果、指定情報は、「Ａ」「Ｃ」「エリアＸ」となる。続いて、情報配信対象の移動端末を図２に示す移動端末情報ＤＢから抽出すると、移動端末Ａ，Ｄが抽出される。このように、移動端末の在圏エリアを指定情報として用いて配信すべき移動端末を指定することも可能であり、これにより、適所に存在する移動端末に対して情報を効率良く配信することができる。なお、指定情報に基づいて移動端末を抽出した後のマルチキャストアドレスの割り当て、呼出信号の送出、参加確認信号の受信、データ配信の流れは、上述した実施形態に係る情報配信システムの動作と同じである。
【図面の簡単な説明】
【００６５】
【図１】実施形態に係る情報配信システムを示す構成図である。
【図２】移動端末情報ＤＢに格納されたデータの例を示す図である。
【図３】変換テーブルに格納されたデータの例を示す図である。
【図４】実施形態に係る情報配信システムの動作を示すフローチャートである。
【図５】第２実施形態に係る情報配信システムを示す構成図である。
【図６】実施形態に係る記録媒体の構成図である。
【図７】実施形態に係るコンピュータのシステム構成図である。
【図８】実施形態に係るコンピュータの斜視図である。
【図９】第２実施形態に係る記録媒体の構成図である。
【符号の説明】
【００６６】
１…情報配信システム、１０…情報配信装置、１１…制御部、１２…記憶部、１３…呼出信号処理部、１４…インターフェース部、１５…マルチキャストアドレス割当部、１６…配信対象端末抽出部、２０…マルチキャストアドレス割当装置、２１…移動端末情報データベース、２２…変換テーブル、３０…情報供給端末、４０…基地局、５０…移動端末。
【図１】
0004421599.tif 000002
【図２】
0004421599.tif 000003
【図３】
0004421599.tif 000004
【図４】
0004421599.tif 000005
【図５】
0004421599.tif 000006
【図６】
0004421599.tif 000007
【図７】
0004421599.tif 000008
【図８】
0004421599.tif 000009
【図９】
0004421599.tif 000010